(57)【要約】    【課題】  記録再生装置内部に記録媒体が装着されているか否かを安全且つ確実に、そして容易に利用者に知らせることができる記録再生装置を提供することにある。    【解決手段】  記録再生装置は、記録媒体が装着される記録媒体装着部１００を備える。記録媒体装着部１００は、一般的なガラスやプラスチック製で十分な透過性の窓１０１と、窓１０１に対する窓カバー１０２と、記録媒体に対して記録・再生を行うためにレーザーを発光するレーザー発光部１０３とを備える。窓部１０１は、窓部１０１の開口を覆う窓カバー１０２と、窓カバー１０２を閉鎖状態でロックするロック機構（不図示）とを備える。電源１０６がオフであるとき、又はレーザー発光していないときは、ロック機構に対してロック解除するので、利用者は、窓カバー１０２を手動で開閉することができ、レーザー発光しているときは、窓カバー１０２をロックする。【選択図】      図１
2006164434.tif 000002
【特許請求の範囲】
【請求項１】
光ディスク媒体に対して信号の記録／再生用のレーザーを発光するレーザー発光部と、前記記録媒体の対応位置において開口する開閉自在な窓部とを備える記録再生装置において、
前記レーザー発光部の非発光時は前記窓部を開放し、前記レーザー発光部の発光時は前記窓部を閉鎖するように前記窓部を制御する制御手段を備えることを特徴とする記録再生装置。
【請求項２】
前記窓部は、前記開口を覆う窓カバーと、前記窓カバーを閉鎖状態でロックするロック機構とを備えることを特徴とする請求項１記載の記録再生装置。
【請求項３】
前記制御手段は、前記レーザー発光部の非発光時は前記ロック機構のロックを解除することを特徴とする請求項２記載の記録再生装置。
【請求項４】
前記制御手段は、前記レーザー発光部の発光時は前記ロック機構を作動させることを特徴とする請求項２記載の記録再生装置。
【請求項５】
前記窓部は、通電状態に応じて透過率が変化する液晶パネルで構成されることを特徴とする請求項１記載の記録再生装置。
【請求項６】
前記制御手段は、前記レーザー発光部の発光時は前記液晶パネルを透過にするために前記液晶パネルに通電することを特徴とする請求項５記載の記録再生装置。
【請求項７】
前記制御手段は、前記レーザー発光部の非発光時は前記液晶パネルを不透過にするために前記液晶パネルに通電しないことを特徴とする請求項５記載の記録再生装置。
【請求項８】
前記レーザー発光部からの発光状態を検知する検知手段を備えることを特徴とする請求項１乃至７のいずれか１項に記載の記録再生装置。
【発明の詳細な説明】
【技術分野】
【０００１】
本発明は、記録再生装置に関し、特に、ＣＤ(Compact Disk)やＤＶＤ(Digital Versatile Disk)のような光ディスク等の記録媒体に対して映像信号及び音声信号の記録・再生を行うデジタルビデオカメラ等の記録再生装置に関する。
【背景技術】
【０００２】
従来、ＣＤやＤＶＤのような光ディスク等の記録媒体に対して映像音声信号の記録や再生を行う記録再生装置において、記録媒体が装着されているか否かを記録再生装置の外部から確認する方法として、以下の２つの方法が主流である。
【０００３】
第１の方法は、記録再生装置の内部に設けたセンサーにより記録媒体の有無を検知する方法である。記録再生装置の内部に設けたセンサーにより検知された記録媒体の有無情報が記録再生装置内部のＣＰＵへ送られ、ＣＰＵはその情報に基づき記録再生装置に備えられているディスプレイ部に記録媒体の有無情報を表示することにより、記録再生装置の外部から記録媒体が装着されているか否かを確認することができる。また、検知手段としては、センサー以外にも、記録媒体に対して記録再生を行うレーザー発光部を共用してもよく、この場合、記録媒体の存在を検知したときに、ディスプレイ部に記録媒体の情報等を表示することにより利用者の利便性を向上させることができる。
【０００４】
第２の方法は、記録媒体の装着部全体又は一部を透明体で構成する方法や、記録媒体の装着部の一部に透明の窓を設ける方法である（例えば、特許文献１参照）。これにより、単純に外部から記録媒体の有無を容易に確認することができる。この方法は、現行のＣＤプレーヤー等多くの製品で採用されている。
【特許文献１】特開平６−２８２９７７号公報
【発明の開示】
【発明が解決しようとする課題】
【０００５】
しかしながら、上記第１の方法では、記録再生装置に電源供給がない状態では、センサーの動作自体が行えないので、記録媒体の有無を検知することができず、また、電源供給がある場合でも、センサーの駆動には時間がかかるため、容易に記録媒体の有無を確認することが難しい。
【０００６】
また、上記第２の方法でも、以下の問題点がある。
【０００７】
記録媒体は、ＣＤからＤＶＤやＢｌｕ−ｒａｙといった波長の短いものを採用する傾向があり、ＤＶＤ等の光ディスクを記録媒体として使用するＤＶＤプレーヤー等の装置は、ＣＤを記録媒体として使用するＣＤプレーヤー等の装置に比べてレーザー出力を大きくする必要がある。また、デジタルディスクカメラやＤＶＤレコーダーといった記録を伴う装置であれば、再生のみを行う装置よりもレーザー出力を大きくする必要がある。その際、記録媒体装着部の蓋が透明であるか又は蓋についた窓が開いた状態だとすると、記録再生装置からレーザー光が漏れて人体への影響が懸念される。レーザーに関してはレーザー出力に関する規格が定められており、その規格を遵守することが義務付けられている。そのため、記録媒体装着部の蓋をむやみに透明にしたりすることはできない。また、例えばデジタルディスクカメラのようなモバイル製品であれば、室外での撮影機会が多くなるため、撮影中に記録再生装置に外光が入ってくることで光ディスクに正確に記録できなくなる可能性もある。
【０００８】
本発明の目的は、記録再生装置内部に記録媒体が装着されているか否かを安全且つ確実に、そして容易に利用者に知らせることができる記録再生装置を提供することにある。
【課題を解決するための手段】
【０００９】
上記目的を達成するために、請求項１記載の記録再生装置は、光ディスクである記録媒体の信号の記録／再生用のレーザーを発光するレーザー発光部と、前記記録媒体の対応位置において開口する開閉自在な窓とを備える記録再生装置において、前記レーザー発光部の非発光時は前記窓を開放し、前記レーザー発光部が発光時は前記窓を閉鎖するように前記窓を制御する制御手段を備えることを特徴とする。
【発明の効果】
【００１０】
本発明によれば、レーザー発光部の非発光時は窓を開放し、レーザー発光部の発光時は窓を閉鎖するように窓を制御するので、記録再生装置内部に記録媒体が装着されているか否かを安全且つ確実に、そして容易に利用者に知らせることができる。
【発明を実施するための最良の形態】
【００１１】
以下、本発明の実施の形態を図面を参照しながら詳述する。
【００１２】
図１において、記録再生装置は、記録媒体が装着される記録媒体装着部１００を備える。記録媒体装着部１００は、パーソナルコンピュータ（ＰＣ）に外付けで使用するドライブのように装着部に蓋がついたタイプや、市販されているＭＤプレーヤーのようにスロットインタイプのいずれでもよい。また、記録媒体装着部１００は、一般的なガラスやプラスチック製で十分な透過性の窓部１０１と、記録媒体に対して記録・再生を行うためにレーザーを発光するレーザー発光部１０３とを備える。窓カバー１０２は、開閉可能であり、通常閉じている。窓部１０１は、窓部１０１の開口を覆う窓カバー１０２と、窓カバー１０２を閉鎖状態でロックするロック機構（不図示）とを備える。
【００１３】
記録再生装置は、さらに、記録媒体装着部１００に装着された記録媒体の記録・再生を行うと共に、信号処理部に接続された記録・再生回路１０４と、バッテリー又は交流電源から成る電源１０６と、電源１０６のオン・オフを行う電源スイッチ１０５と、記録・再生回路１０４、ロック機構、電源１０６、及び電源スイッチ１０５に接続され、電源スイッチ１０５やレーザー発光部１０３の状態に応じてロック機構のロック／解除を行うＣＰＵ１０７とを備える。
【００１４】
図２は、図１の記録再生装置によって実行される記録媒体の有無検知処理の手順を示すフローチャートである。
【００１５】
図２において、まず、電源１０６がオフであるか否かを判別し（ステップＳ２０１）、記録再生装置にバッテリー及びＡＣ電源供給がないか、あったとしても電源スイッチ１０５による指示がなく、電源１０６がオフのときは、ＣＰＵ１０７は、ロック機構に対してロック解除を行って窓カバー１０２を手動で開閉可能状態にし（ステップＳ２０４）（図３（ａ））、本処理を終了する。
【００１６】
ステップＳ２０１の判別の結果、電源オンであるときは、ＣＰＵ１０７は、レーザー発光部１０３がレーザー発光しているか否かを判別し（ステップＳ２０２）、レーザー発光していないとき、記録再生装置がスタンバイの状態、すなわち記録及び再生を行っていないときは、ロック機構に対してロック解除を行って窓カバー１０２を手動で開閉可能状態にし（ステップＳ２０４）（図３（ａ））、本処理を終了する。
【００１７】
一方、ステップＳ２０２の判別の結果、レーザー発光を行っているときは、ＣＰＵ１０７は、ロック機構を作動させて窓カバー１０２をロックし（ステップＳ２０３）、本処理を終了する。
【００１８】
本実施の形態によれば、電源１０６がオフであるとき（ステップＳ２０１でＹＥＳ）、又はレーザー発光していないときは（ステップＳ２０２でＮＯ）、ロック機構に対してロック解除する（ステップＳ２０４）ので、利用者は、窓カバー１０２を手動で開閉することができ、窓１０１を介して記録再生装置内部に記憶媒体が装着されているか否かを容易に確認することができ、また、レーザー発光しているときは（ステップＳ２０２でＹＥＳ）、記録又は再生指示を行っている状態の利用者は、記録再生装置内部に記録媒体が存在していることは既に分かっているので、ロック機構を作動させて窓カバー１０２をロックして（ステップＳ２０３）、記録媒体の記録再生中にレーザー光が記録再生装置の外部に漏れるのを防止すると共に、外光が記録再生装置の内部に侵入するのを防止することができる。
【００１９】
なお、ＣＰＵ１０７は窓カバー１０２が閉じているか否かを検出する機能を持ち、利用者が窓カバー１０２を開けたまま記録を開始しようとした場合、ＣＰＵ１０７は不図示の表示部に対し、窓カバーが開いたままでは記録ができない旨の情報を表示し、窓カバー１０２が使用者によって閉じられるのを待って記録を開始する。
【００２０】
記録媒体装着部１００は、レーザー発光部１０３から発光状態を検知するセンサー（不図示）を有し、このセンサーがレーザー発光部１０３の発光を検知しているときに、ＣＰＵ１０７は、ロック機構を作動させてもよい。
【００２１】
図４は、本発明の第２の実施の形態に係る記録再生装置の構成を概略的に示すブロック図である。
【００２２】
本実施の形態に係る記録再生装置は、構成が第１の実施の形態のものと基本的に同じであり、第１の実施の形態と同一の構成要素には同一符号を付して重複説明を省略し、以下、異なるものについてのみ説明する。
【００２３】
図４の記録再生装置における記録媒体装着部１００は、通電状態によって透過性が変化する液晶パネル４９２を有する。この液晶パネル４０２は、液晶パネル４０２に通電がある状態では、バックライトが点灯して不透過となり、通電がない状態では、バックライトが消灯して透過となる。
【００２４】
ＣＰＵ４０７は、記録・再生回路１０４、液晶パネル４０２、電源１０６、及び電源スイッチ１０５に接続され、電源スイッチ１０５やレーザー発光部１０３の状態に応じて液晶パネル４０２への通電制御を行う。
【００２５】
図４は、図４の記録再生装置によって実行される記録媒体の有無検知処理の手順を示すフローチャートである。
【００２６】
図４において、まず、電源１０６がオフであるか否かを判別し（ステップＳ５０１）、記録再生装置にバッテリー及びＡＣ電源供給がないか、あったとしても電源スイッチ１０５による指示がなく電源１０６がオフのときは、ＣＰＵ１０７は、液晶パネル４０７に対して通電しないで液晶パネル４０７を透過状態にし（ステップＳ５０４）（図６（ａ））、本処理を終了する。
【００２７】
ステップＳ５０１の判別の結果、電源オンであるときは、ＣＰＵ１０７は、レーザー発光部１０３がレーザー発光しているか否かを判別し（ステップＳ５０２）、レーザー発光していないとき、記録再生装置がスタンバイの状態、すなわち記録及び再生を行っていないときは、ＣＰＵ１０７は、液晶パネル４０７に対して通電しないで液晶パネル４０７を透過状態にし（ステップＳ５０４）（図６（ａ））、本処理を終了する。
【００２８】
一方、ステップＳ５０２でレーザー発光を行っているときは、ＣＰＵ１０７は、液晶パネル４０７に対して通電して液晶パネル４０７を不透過状態にし（ステップＳ５０３）（図６（ｂ））、本処理を終了する。
【００２９】
本実施の形態によれば、電源１０６がオフであるとき（ステップＳ５５０１でＹＥＳ）、又はレーザー発光していないときは（ステップＳ５０２でＮＯ）、液晶パネル４０７に対して通電しないで液晶パネル４０７を透過状態にする（ステップＳ５０４）ので、利用者は、記録再生装置の内部に記録媒体が存在するか否かを容易に確認することができ、また、電源１０６がオフでも（ステップＳ５５０１でＮＯ）、レーザー発光しているときは（ステップＳ５０２でＹＥＳ）、記録又は再生指示を行っている状態の利用者は、記録再生装置内部に記録媒体が存在していることは既に分かっているので、液晶パネル４０７に対して通電しないで液晶パネル４０７を透過状態にして（ステップＳ５０４）、記録媒体の記録再生中にレーザー光が記録再生装置の外部に漏れるのを防止すると共に、外光が記録再生装置の内部に侵入するのを防止することができる。
【図面の簡単な説明】
【００３０】
【図１】本発明の第１の実施の形態に係る記録再生装置の構成を概略的に示すブロック図である。
【図２】図１の記録再生装置によって実行される記録媒体の有無検知の処理の手順を示すフローチャートである。
【図３】（ａ）及び（ｂ）は、図１における窓カバーの状態を説明するのに用いられる図である。
【図４】本発明の第２の実施の形態に係る記録再生装置の構成を概略的に示すブロック図である。
【図５】図４の記録再生装置によって実行される記録媒体の有無検知処理の手順を示すフローチャートである。
【図６】（ａ）及び（ｂ）は、図４における窓カバーの状態を説明するのに用いられる図である。
【符号の説明】
【００３１】
１００  記録媒体装着部
１０１  窓
１０２  窓カバー
１０３  レーザー発光部
１０４  記録再生回路
１０５  電源スイッチ
１０６  電源
１０７, ４０７  ＣＰＵ
４０２  液晶パネル
【図１】
2006164434.tif 000003
【図２】
2006164434.tif 000004
【図３】
2006164434.tif 000005
【図４】
2006164434.tif 000006
【図５】
2006164434.tif 000007
【図６】
2006164434.tif 000008